(57)【要約】【課題】縦穴部の周囲にて鉛直方向に集中した荷重に対して強度を大きくすることができる充填構造体の補強構造、縦穴部の周囲にて鉛直方向に集中した荷重に対して強度を大きくすることができる充填構造体の補強構造に適用可能な補強用充填ブロック及び補強部材を得る。【解決手段】充填構造体２０の内部においてマンホール穴２２の周囲には、補強体８０が配置されており、この補強体８０は、補強用充填ブロック６６、６８の格納部内にそれぞれ格納された補強コンクリート芯７０、７２、７４、７６が積み重ねられて形成されている。これによって、補強体８０が充填構造体２０を補強して充填構造体２０の頂部２０Ａ側から底部２０Ｂ側への荷重Ｆを支持することができる。【選択図】図１
2009062797.tif 000002
【特許請求の範囲】
【請求項１】
地中に配設されて複数個の箱状の充填ブロックが高さ方向と直交する行方向及び列方向に沿って配列されると共に高さ方向に沿って積層されて形成されて雨水の貯留及び流通が可能でありかつ前記充填ブロックを配置しない部分を中空部とする縦穴部を形成して頂部側を開口させた雨水貯留浸透槽用の充填構造体の補強構造であって、
前記充填構造体の内部において前記縦穴部の周囲に配置され、前記充填構造体を補強して前記充填構造体の頂部側から底部側への荷重を支持可能な補強体を有することを特徴とする充填構造体の補強構造。
【請求項２】
前記補強体は、前記充填ブロックのうち補強対象となる補強用充填ブロック内にそれぞれ格納された補強部材が積み重ねられて形成されていることを特徴とする請求項１記載の充填構造体の補強構造。
【請求項３】
前記補強用充填ブロックは、箱状に形成されて上方側又は下方側へ向けられた一端側が開口されると共に他端側が蓋板部とされ、前記蓋板部には、前記補強部材を格納する格納部の対向部分に単一の貫通孔が貫通形成されていることを特徴とする請求項２記載の充填構造体の補強構造。
【請求項４】
前記補強部材は、側面の少なくとも一部が前記補強用充填ブロックの内側面に当って位置決めされていることを特徴とする請求項２又は請求項３に記載の充填構造体の補強構造。
【請求項５】
地中に配設されて高さ方向と直交する行方向及び列方向に沿って複数個配列されると共に高さ方向に沿って複数個積層されることによって雨水の貯留及び流通が可能な雨水貯留浸透槽用の充填構造体を形成しかつ一端側が開口された箱状の充填ブロックのうち、内部に補強部材を配置するための補強対象となる補強用充填ブロックであって、
前記補強部材を格納可能な格納部と、
他端側に設けられ、前記格納部の対向部分に単一の貫通孔が貫通形成された蓋板部と、
を有することを特徴とする補強用充填ブロック。
【請求項６】
地中に配設されて複数個の箱状の充填ブロックが高さ方向と直交する行方向及び列方向に沿って配列されると共に高さ方向に沿って積層されて形成されて雨水の貯留及び流通が可能な雨水貯留浸透槽用の充填構造体の補強に用いられ、
一方端側に設けられた平面状の底面と、他方端側に設けられて前記底面と平行な平面状の台座面と、を有し、前記充填ブロックのうち補強対象となる補強用充填ブロック内に前記底面が下方側に向けられて格納されると共に側面の少なくとも一部が前記補強用充填ブロックの内側面に当って位置決めされ、かつ積み重ねられることによって前記充填構造体を補強して前記充填構造体の頂部側から底部側への荷重を支持可能な補強体を形成することを特徴とする補強部材。
【発明の詳細な説明】
【技術分野】
【０００１】
本発明は、雨水貯留浸透槽用の充填構造体の補強構造、充填構造体を形成する補強用充填ブロック、及び充填構造体の補強に用いられる補強部材に関する。
【背景技術】
【０００２】
雨水貯留浸透槽においては、内部点検用等のために、中空のマンホール（縦穴部）が形成され、その上部開口に開閉蓋が配設される場合がある（例えば、特許文献１参照）。このようなマンホールの周囲では、鉛直方向に集中した荷重に対し、他部に比べて強度が小さくなってしまう。
【特許文献１】特開２００６−３４２５２０公報
【発明の開示】
【発明が解決しようとする課題】
【０００３】
本発明は、上記事実を考慮して、縦穴部の周囲にて鉛直方向に集中した荷重に対して強度を大きくすることができる充填構造体の補強構造、縦穴部の周囲にて鉛直方向に集中した荷重に対して強度を大きくすることができる充填構造体の補強構造に適用可能な補強用充填ブロック及び補強部材を得ることを目的とする。
【課題を解決するための手段】
【０００４】
請求項１に記載する本発明の充填構造体の補強構造は、地中に配設されて複数個の箱状の充填ブロックが高さ方向と直交する行方向及び列方向に沿って配列されると共に高さ方向に沿って積層されて形成されて雨水の貯留及び流通が可能でありかつ前記充填ブロックを配置しない部分を中空部とする縦穴部を形成して頂部側を開口させた雨水貯留浸透槽用の充填構造体の補強構造であって、前記充填構造体の内部において前記縦穴部の周囲に配置され、前記充填構造体を補強して前記充填構造体の頂部側から底部側への荷重を支持可能な補強体を有することを特徴とする。
【０００５】
請求項１に記載する本発明の充填構造体の補強構造によれば、充填構造体の内部において縦穴部の周囲に配置された補強体が、充填構造体を補強して充填構造体の頂部側から底部側への荷重を支持可能となっているので、縦穴部の周囲において荷重が鉛直方向に集中して作用した場合、前記荷重の一部は、補強体によって支持される。
【０００６】
請求項２に記載する本発明の充填構造体の補強構造は、請求項１記載の構成において、前記補強体は、前記充填ブロックのうち補強対象となる補強用充填ブロック内にそれぞれ格納された補強部材が積み重ねられて形成されていることを特徴とする。
【０００７】
請求項２に記載する本発明の充填構造体の補強構造によれば、補強体は、補強部材が積み重ねられて形成されているので、縦穴部の周囲において荷重が鉛直方向に集中して作用しても、各補強部材に作用する曲げモーメントのモーメントアーム長が短く、座屈が生じにくい。また、補強部材が充填ブロックのうち補強対象となる補強用充填ブロック内にそれぞれ格納されているので、前記荷重が作用しても、補強部材の左右のずれは、防止又は抑制される。
【０００８】
請求項３に記載する本発明の充填構造体の補強構造は、請求項２記載の構成において、前記補強用充填ブロックは、箱状に形成されて上方側又は下方側へ向けられた一端側が開口されると共に他端側が蓋板部とされ、前記蓋板部には、前記補強部材を格納する格納部の対向部分に単一の貫通孔が貫通形成されていることを特徴とする。
【０００９】
請求項３に記載する本発明の充填構造体の補強構造によれば、蓋板部において格納部の対向部分に貫通形成された貫通孔は、単一となっているので、貫通孔の径を大きくすることで、貫通孔内側に配置される補強部材の太さを太くすること及び上下に積み重ねられた補強部材同士の接触面積を大きくすることができ、縦穴部の周囲は、効果的に補強される。
【００１０】
請求項４に記載する本発明の充填構造体の補強構造は、請求項２又は請求項３に記載の構成において、前記補強部材は、側面の少なくとも一部が前記補強用充填ブロックの内側面に当って位置決めされていることを特徴とする。
【００１１】
請求項４に記載する本発明の充填構造体の補強構造によれば、補強部材は、側面の少なくとも一部が補強用充填ブロックの内側面に当って位置決めされているので、上下に配置された補強部材同士の相対位置が安定し、縦穴部の周囲において荷重が鉛直方向に集中して作用した場合には、前記荷重の一部は、補強体によって安定的に支持される。
【００１２】
請求項５に記載する本発明の補強用充填ブロックは、地中に配設されて高さ方向と直交する行方向及び列方向に沿って複数個配列されると共に高さ方向に沿って複数個積層されることによって雨水の貯留及び流通が可能な雨水貯留浸透槽用の充填構造体を形成しかつ一端側が開口された箱状の充填ブロックのうち、内部に補強部材を配置するための補強対象となる補強用充填ブロックであって、前記補強部材を格納可能な格納部と、他端側に設けられ、前記格納部の対向部分に単一の貫通孔が貫通形成された蓋板部と、を有することを特徴とする。
【００１３】
請求項５に記載する本発明の補強用充填ブロックによれば、格納部で補強部材を格納可能となっており、また、蓋板部は、格納部の対向部分に単一の貫通孔が貫通形成されているので、例えば、充填ブロックが複数個積層されて充填構造体を形成し、より下層となる補強用充填ブロックにおける格納部に格納された一の補強部材に、より上層となる補強用充填ブロックにおける格納部に格納された他の補強部材を載せていけば、補強部材が上下方向に積み重ねられることになるので、荷重が鉛直方向に集中して作用した場合、前記荷重の一部は、積み重ねられた補強部材によって支持される。ここで、蓋板部において格納部の対向部分に設けられた貫通孔は、単一となっているので、該貫通孔を大きくすることで該貫通孔の内側に配置される補強部材の太さを太くすることができ、効果的な補強が可能となる。
【００１４】
請求項６に記載する本発明の補強部材は、地中に配設されて複数個の箱状の充填ブロックが高さ方向と直交する行方向及び列方向に沿って配列されると共に高さ方向に沿って積層されて形成されて雨水の貯留及び流通が可能な雨水貯留浸透槽用の充填構造体の補強に用いられ、一方端側に設けられた平面状の底面と、他方端側に設けられて前記底面と平行な平面状の台座面と、を有し、前記充填ブロックのうち補強対象となる補強用充填ブロック内に前記底面が下方側に向けられて格納されると共に側面の少なくとも一部が前記補強用充填ブロックの内側面に当って位置決めされ、かつ積み重ねられることによって前記充填構造体を補強して前記充填構造体の頂部側から底部側への荷重を支持可能な補強体を形成することを特徴とする。
【００１５】
請求項６に記載する本発明の補強部材によれば、一方端側に平面状の底面が設けられると共に他方端側に底面と平行な平面状の台座面が設けられており、充填ブロックのうち補強対象となる補強用充填ブロック内に底面が下方側に向けられて格納されると共に側面の少なくとも一部が補強用充填ブロックの内側面に当って位置決めされ、かつ積み重ねられることによって充填構造体を補強して充填構造体の頂部側から底部側への荷重を支持可能な補強体を形成するので、充填構造体を補強した状態で荷重が鉛直方向に集中して作用した場合、前記荷重の一部は、補強部材で形成された補強体によって安定的に支持される。
【発明の効果】
【００１６】
以上説明したように、本発明に係る請求項１に記載の充填構造体の補強構造によれば、縦穴部の周囲にて鉛直方向に集中した荷重に対して強度を大きくすることができるという優れた効果を有する。
【００１７】
請求項２に記載の充填構造体の補強構造によれば、縦穴部の周囲にて鉛直方向に集中した荷重に対して強度を一層効果的に大きくすることができるという優れた効果を有する。
【００１８】
請求項３に記載の充填構造体の補強構造によれば、補強部材同士の接触面積を大きくすることができるという優れた効果を有する。
【００１９】
請求項４に記載の充填構造体の補強構造によれば、上下に配置された補強部材同士の相対位置を安定させることができるという優れた効果を有する。
【００２０】
請求項５に記載の補強用充填ブロックによれば、縦穴部の周囲にて鉛直方向に集中した荷重に対して強度を大きくすることができる充填構造体の補強構造に適用可能であるという優れた効果を有する。
【００２１】
請求項６に記載の補強部材によれば、縦穴部の周囲にて鉛直方向に集中した荷重に対して強度を大きくすることができる充填構造体の補強構造に適用可能であるという優れた効果を有する。
【発明を実施するための最良の形態】
【００２２】
本発明の一実施形態に係る充填構造体の補強構造、充填ブロック及び補強部材について図１〜図１７を用いて説明する。
【００２３】
（実施形態の構成）
図１には、雨水貯留浸透槽１０の一部が概略断面図にて模式的に示されている。雨水貯留浸透槽１０は、地中Ｇに埋設された雨水貯留浸透施設であって、雨水を貯留する機能及び雨水を地中へ浸透させる機能の少なくとも一方の機能を備えた槽であり、具体的には、雨水を貯留する貯留槽、雨水を一次的に貯留した後に徐々に地中に浸透させる浸透槽、及び、貯留槽の機能と浸透槽の機能とを併せ持つ貯留浸透槽がある。
【００２４】
図１に示されるように、敷地の地表面２９Ａから凹状に掘り下げられたピットＰは、その内表面が保護層１２により覆われている。保護層１２により覆われたピットＰ内には、雨水貯留浸透槽１０用の略直方体状の充填構造体２０が構築（配設）されており、その外側は、被覆シート（遮水シート及び透水シートの少なくとも一方）１４によって覆われている。なお、このように地中Ｇに配設される充填構造体２０においては、その頂部２０Ａ側（天井面側）やその側面側に、充填構造体２０を外側から覆うプレート状の受圧パネル（図示省略）を配設してもよい。
【００２５】
また、充填構造体２０の側面には、図示しない導入管やオーバーフロー管が直接又は桝等を介して接続されている。すなわち、前記導入管によって集水した雨水を流通させると共に、雨水貯留浸透槽１０が満水に近い状態になった場合には、前記オーバーフロー管を介して排水するようになっている。
【００２６】
図１及び図２に示されるように、充填構造体２０は、複数個の箱状の充填ブロック３０、５０、６０、６２、６４、６６、６８（図５〜図１１参照）が高さ方向（矢印ｈ方向）と直交する行方向（矢印ａ方向）及び列方向（矢印ｂ方向）に沿って配列されると共に高さ方向に沿って積層されて形成されている。すなわち、充填構造体２０は、充填ブロック３０、５０、６０、６２、６４、６６、６８が互いに隣接して（隣り合って）複数個並設されると共に上下方向に積層されながら（積み重ねられながら）連結されて形成されている。なお、図２では、便宜上、充填ブロック（３０等）の積層数や行列数を少なくして図示している。
【００２７】
充填構造体２０は、雨水の貯留及び流通が可能になっており、充填ブロック３０、５０、６０、６２、６４、６６、６８を配置しない部分を直方体状の中空部２２Ａとする縦穴部としてのマンホール穴２２を形成して頂部２０Ａ側を開口させている。図３に示されるように、マンホール穴２２における上部開口部２２Ｂ（点検用開口部）は、矩形状とされている。上部開口部２２Ｂのコーナ部（四隅部）１２２Ｂ上には、被覆シート１４を介して充填構造体２０上に載置された平板リング状の補強枠２４が配設されている。補強枠２４は、ステンレス製とされており、この補強枠２４上には、図４に示されるマンホール用のコンクリート壁２６が配設（設置）されている。コンクリート壁２６は、補強枠２４上に載せられるフランジ部２６Ａを備えると共に上部側へ向かうに従って小径とされた円筒部２６Ｂを備えている。コンクリート壁２６におけるリング状の天面部２６Ｃの上方側には、図１に示されるマンホール蓋２８が配設されている。
【００２８】
このような構成により、雨水貯留浸透槽１０（充填構造体２０）内を点検したい場合には、マンホール蓋２８を取り外せば、マンホール穴２２を通して直接目視等により又は点検用光学スコープ等を用いることにより雨水貯留浸透槽１０（充填構造体２０）の内部を点検できるようになっている。
【００２９】
なお、本実施形態では、特に配設されていないが、上部開口部２２Ｂに平面視矩形状の補強枠を（例えば、開口縁部分に位置する後述する支持部１４０Ａ（図８〜図１０参照）に載せること、又は、開口四隅部に係止用のＳＵＳ板を配設して係止させること等によって）配設し、その上にさらに補強枠２４を配置するような構成にしてもよい。
【００３０】
図１に示されるように、コンクリート壁２６の外周側は、埋め戻しによって形成された覆土層２９とされている。覆土層２９は、被覆シート１４を介して充填構造体２０における頂部２０Ａの上方側に形成されている。覆土層２９の地表面２９Ａは、アスファルト等の舗装材によって舗装されている。
【００３１】
充填構造体２０を形成する充填ブロック３０、５０、６０、６２、６４、６６、６８（図５〜図１１参照）の材料には、樹脂材料が適用でき、加水分解しないものがよい。具体的には、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（ｇ／１０分）〜１５（ｇ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００３２】
また、充填ブロック３０、５０、６０、６２、６４、６６、６８（図５〜図１１参照）は、射出成形法によって中空の箱状に一体成形されており、その厚さは、均一であり、製品１個当たりの重量及び機械的な強度等を考慮して２ｍｍ〜３ｍｍとするのが好ましい。
【００３３】
図５には、標準サイズであるフルサイズの充填ブロック３０が示されている。充填ブロック３０は、平面視で略長方形とされ、長手方向であるブロック長さ方向（矢印Ｌ方向）の寸法が約１００ｃｍ、ブロック長さ方向に直角な方向であるブロック幅方向（矢印Ｗ方向）の寸法が約５０ｃｍとされており、ブロック高さ方向（矢印Ｈ方向（図１における矢印ｈ方向と同じ方向））の寸法は約４０ｃｍとされている。図５に示されるように、充填ブロック３０は、箱状に形成され、一端側（図５では下端側）が開口端３４とされて筒状の側板部３２を備えると共に、他端側（図５では上端側）が側板部３２と一体的に形成された蓋板部４０とされている。充填ブロック３０は、充填構造体２０（図２参照）を形成した配置状態では、一端側の開口端３４が下方側へ向けられており、他端側の蓋板部４０が上方側へ向けられている。
【００３４】
充填ブロック３０の側板部３２は、平面視でブロック長さ方向（矢印Ｌ方向）に沿う仮想中央線ＣＬ１に対して左右対称とされていると共に、ブロック幅方向（矢印Ｗ方向）に沿う仮想中央線ＣＬ２に対しても左右対称とされており、ブロック長さ方向（矢印Ｌ方向）にて所定間隔で仮想中央線ＣＬ１側へ向けて凹状に入り込んだ凹凸形状となっている。すなわち、側板部３２は、仮想中央線ＣＬ１側から外向きに張り出して略角筒状（略角柱状）とされた複数個（本実施形態では８個）の各張出部３２Ａが形成されると共に、ブロック長さ方向（矢印Ｌ方向）に互いに隣接する張出部３２Ａ間を連結する連結板部３２Ｂ、及び、ブロック長さ方向（矢印Ｌ方向）の両側でブロック幅方向（矢印Ｗ方向）に互いに隣接する張出部３２Ａ間を連結する湾曲板部３２Ｃが一体的に形成されている。
【００３５】
各張出部３２Ａは、開口端３４側（下端側）から蓋板部４０側（上端側）へ向ってブロック長さ方向（矢印Ｌ方向）及びブロック幅方向（矢印Ｗ方向）に沿った寸法が序々に小さくなる略テーパ状に形成されている。各張出部３２Ａの下部には、略上下方向を長手方向とするリブ３６が形成されており、外部荷重に対する強度が補強されている。また、互いに隣接する張出部３２Ａの下端部間は、底板部３５によって連結されている。なお、底板部３５には、雨水流通孔３５Ａが貫通形成されている。
【００３６】
また、各張出部３２Ａには、検査用の開口窓部（点検窓）３８が形成されて張出部３２Ａを板厚方向に貫通している。開口窓部３８は、充填ブロック３０の強度面を考慮した大きさに設定され、略上下方向を長手方向とした縦長の矩形状に形成されており、充填ブロック３０の軽量化（樹脂量軽減）に資すると共に設置後における雨水貯留浸透槽１０（図１参照）の内部状態（土砂による目詰まりの有無等）点検時の検査用とされている。
【００３７】
側板部３２の一端側である開口端３４は、外向きにＪ字状に湾曲成形されている。このようにすることで、側板部３２の成形ひずみを抑えると共に、側板部３２の強度を補強している。開口端３４の形状は、背面視でブロック長さ方向（矢印Ｌ方向）に沿う第１仮想中央線（図示省略）に対して左右対称とされると共に、ブロック幅方向（矢印Ｗ方向）に沿う第２仮想中央線（図示省略）に対しても左右対称とされている。
【００３８】
側板部３２の他端側（上端側）を繋ぐ蓋板部４０は、平面視でブロック長さ方向（矢印Ｌ方向）に沿う仮想中央線ＣＬ１に対して左右対称とされていると共に、ブロック幅方向（矢印Ｗ方向）に沿う仮想中央線ＣＬ２に対しても左右対称とされている。蓋板部４０には、仮想中央線ＣＬ１に沿って延在する溝板部４０Ｂが形成されると共に、溝板部４０Ｂのブロック幅方向（矢印Ｗ方向）の両側に張出部３２Ａのブロック上方側に配設される複数（本実施形態では８個）の上蓋部４０Ａが一体的に形成されている。
【００３９】
上蓋部４０Ａは、充填ブロック３０の配置時に水平な上面を形成し、雨水貯留浸透槽１０（図１参照）の施工時には作業用足場を兼ねる。各上蓋部４０Ａには、雨水流通孔４２が貫通形成されており、これらの雨水流通孔４２は、充填ブロック３０の設置時には雨水を流通させるための流通部となっている。上蓋部４０Ａには、仮想中央線ＣＬ１から見てブロック幅方向（矢印Ｗ方向）外側に、一段下がってブロック長さ方向に沿って延在する支持部１４０Ａが設けられている。
【００４０】
また、蓋板部４０において仮想中央線ＣＬ１に沿って形成された溝板部４０Ｂは、上蓋部４０Ａから一段下がった溝部４４を形成している。溝部４４の溝底部４４Ａは、充填ブロック３０の配置時に上方に向いた水平面を形成するようになっており、支持部１４０Ａと同じ高さ位置に設定されている。溝板部４０Ｂにおいて、ブロック長さ方向（矢印Ｌ方向）における張出部３２Ａ間には、略矩形状の切欠部４６が形成されている。これらの切欠部４６の底面部分は、溝底部４４Ａと同一平面上に位置している。ここで、溝部４４の幅と切欠部４６の幅とは互いに等しくなっており、充填ブロック３０の開口端３４の厚さの二倍よりも僅かに広く設定されている。すなわち、溝部４４及び切欠部４６は、隣接された二枚の開口端３４を嵌入可能なサイズ及び形状とされており、上段に配置される充填ブロック３０の連結用となっている。なお、溝底部４４Ａには、雨水流通孔４４Ｂが貫通形成されている。
【００４１】
図６には、補助用の１／８サイズ（１／８パーツ）の充填ブロック５０が示されている。充填ブロック５０は、図１及び図２に示されるように、充填構造体２０の最外周側及びマンホール穴２２の内周面側の一部に一段置きに配置されるパーツである。図６に示されるように、充填ブロック５０は、全体として略四角錐台の箱状に形成されている。充填ブロック５０は、一端側（図６では下端側）が開口端５４とされて筒状の側板部５２を備えると共に、他端側（図６では上端側）が側板部５２と一体的に形成された蓋板部５６とされている。充填ブロック５０は、充填構造体２０（図２参照）を形成した配置状態では、一端側の開口端５４が上方側へ向けられており、他端側の蓋板部５６が下方側へ向けられている。開口端５４は、外向きにＪ字状に湾曲成形されている。充填ブロック５０は、平面視で略正方形とされ、その縦横の寸法は、図５に示されるフルサイズの充填ブロック３０のブロック長さ方向（矢印Ｌ方向）に沿った寸法の１／４であり、充填ブロック３０のブロック幅方向（矢印Ｗ方向）に沿った寸法の１／２である。
【００４２】
図６に示される側板部５２には、略直角に屈曲されて連続する面部のそれぞれに検査用の開口窓部（点検窓）５８が形成されて側板部５２を板厚方向に貫通している。また、蓋板部５６には、その中央部に凸状の嵌挿部５７が一体的に形成されている。この嵌挿部５７は平面視で略正方形とされており、基端側から先端側へ向って断面積が序々に縮小するテーパ状に形成されている。嵌挿部５７は、図５に示される充填ブロック３０における８個の上蓋部４０Ａの中央付近にそれぞれ形成された雨水流通孔４２に嵌脱可能な形状とされている。
【００４３】
図６に示される充填ブロック５０は、充填構造体２０（図２参照）の一部とされる際には、図６に示される姿勢とは上下が反転した状態で、図５に示される充填ブロック３０における張出部３２Ａのいずれかの上側に載置される（図１５参照）。このとき、図６に示される充填ブロック５０は、嵌挿部５７を図５に示される充填ブロック５０における雨水流通孔４２のいずれかに嵌挿すると共に、図６に示される蓋板部５６を上蓋部４０Ａ（図５参照）に当接させる。これにより、図２に示されるように、充填ブロック５０は、所定位置に位置決めされる。
【００４４】
図７には、補助用の１／２サイズ（１／２切断パーツ）の充填ブロック６０が示されている。充填ブロック６０は、図５に示されるフルサイズの充填ブロック３０をブロック長さ方向（矢印Ｌ方向）の中央位置で（仮想中央線ＣＬ２に沿って）切断した形状となっている。よって、図７に示される充填ブロック６０については、充填ブロック３０（図５参照）と同様の構成部には同一符号を付して説明を省略する。図１に示されるように、充填ブロック６０は、充填構造体２０を形成する際に充填ブロック３０では対応できない箇所に配置される。なお、充填ブロック６０の代わりに充填ブロック５０を四個並べて配置することも可能であるが、充填ブロック５０を四個並べて配置するよりも充填ブロック６０を配置したほうが強度の点で有利であり、高さ位置も安定する。
【００４５】
図８〜図１０には、フルサイズでかつ内部に補強部材としての補強コンクリート芯７０、７２、７４、７６（図１２参照）を配置するための補強対象となる補強用充填ブロック６２、６４、６６が示されている。なお、これらの補強用充填ブロック６２、６４、６６は、後述するような補強可能な構造を備えている点を除いて、標準の充填ブロック３０（図５参照）と同様の構成であるので、充填ブロック３０と同様の構成部については、同一符号を付して説明を省略する。また、補強用充填ブロック６２、６４、６６は、標準の充填ブロック３０（図５参照）と同様に、充填構造体２０（図２参照）を形成した配置状態では、一端側の開口端３４が下方側へ向けられており、他端側の蓋板部４０が上方側へ向けられている。
【００４６】
図８に示される補強用充填ブロック６２と図９に示される補強用充填ブロック６４とは、仮想中央線ＣＬ１に対して、左右対称の形状となっている。図９に示される補強用充填ブロック６４は、図中で仮想中央線ＣＬ１に対して左側でかつ手前側の側板部３２における張出部３２Ａの内側に、格納部６４Ａを備えている。格納部６４Ａは、その下部に補強コンクリート芯７２（図１２（Ｂ）参照）を格納可能となっており、その上部に補強コンクリート芯７４の第二芯部７４Ｄ（図１２（Ｃ）参照）及び補強コンクリート芯７６（図１２（Ｄ）参照）を格納可能となっている。本実施形態の充填構造体の補強構造では、図１３〜図１５に示されるように、補強用充填ブロック６４内には、補強コンクリート芯７２、補強コンクリート芯７４の第二芯部７４Ｄ、及び補強コンクリート芯７６が格納されており、図９に示される内側面６４Ｉは、これらの格納対象の側面７２Ｃ、７４Ｆ、７６Ｃ（図１２参照）の一部と当って該格納対象を位置決めしている。また、図９に示されるように、蓋板部４０の上蓋部４０Ａには、格納部６４Ａの対向部分に単一の貫通孔６４Ｂ（補強部材連結用孔開き部）が貫通形成されている。すなわち、格納部６４Ａの上方側の貫通孔６４Ｂは一個となっている。これによって、図１３及び図１４に示されるように、補強用充填ブロック６４は、補強コンクリート芯７２を（空隙部を含む）格納部６４Ａの下部に格納した場合に補強コンクリート芯７２上に補強コンクリート芯７４、７６（図１２（Ｃ）、（Ｄ）参照）を載置可能な構造となっている。
【００４７】
図８に示される補強用充填ブロック６２は、図中で仮想中央線ＣＬ１に対して右側でかつ手前側の側板部３２における張出部３２Ａの内側に、格納部６２Ａを備えている。格納部６２Ａは、その下部に補強コンクリート芯７０（図１２（Ａ）参照）を格納可能となっており、その上部に補強コンクリート芯７４の第二芯部７４Ｄ（図１２（Ｃ）参照）及び補強コンクリート芯７６（図１２（Ｄ）参照）を格納可能となっている。本実施形態の充填構造体の補強構造では、図１５に示されるように、補強用充填ブロック６２内には、補強コンクリート芯７０、補強コンクリート芯７４の第二芯部７４Ｄ（図１２（Ｃ）参照）、補強コンクリート芯７６が格納されており、図８に示される内側面６２Ｉは、これらの格納対象の側面７０Ｃ、７４Ｆ、７６Ｃ（図１２参照）の一部と当って該格納対象を位置決めしている。また、図８に示されるように、蓋板部４０の上蓋部４０Ａには、格納部６２Ａの対向部分に単一の貫通孔６２Ｂ（補強部材連結用孔開き部）が貫通形成されている。すなわち、格納部６２Ａの上方側の貫通孔６２Ｂは一個となっている。これによって、図１５に示されるように、補強用充填ブロック６２は、補強コンクリート芯７０を（空隙部を含む）格納部６２Ａに格納した場合に補強コンクリート芯７０上に補強コンクリート芯７４、７６が載置可能な構造となっている。
【００４８】
図１０に示される補強用充填ブロック６６は、図中で仮想中央線ＣＬ１に対して右側（一方側）でかつブロック長さ方向（矢印Ｌ方向）の両側の側板部３２における張出部３２Ａの内側に格納部６６Ａ、６６Ｂを備えている。図中右側の格納部６６Ａは、図８に示される補強用充填ブロック６２の格納部６２Ａと同様の形状とされ、図１０の図中左側の格納部６６Ｂは、図９に示される補強用充填ブロック６４の格納部６４Ａと同様の形状とされている。すなわち、図１０の図中右側の（空隙部を含む）格納部６６Ａは、その下部に補強コンクリート芯７０（図１２（Ａ）参照）を格納可能となっており、その上部に補強コンクリート芯７４の第二芯部７４Ｄ（図１２（Ｃ）参照）及び補強コンクリート芯７６（図１２（Ｄ）参照）を格納可能となっている。図中左側の（空隙部を含む）格納部６６Ｂは、その下部に補強コンクリート芯７２（図１２（Ｂ）参照）を格納可能となっており、その上部に補強コンクリート芯７４の第二芯部７４Ｄ（図１２（Ｃ）参照）及び補強コンクリート芯７６（図１２（Ｄ）参照）を格納可能となっている。本実施形態の充填構造体の補強構造では、図１５に示されるように、補強用充填ブロック６６内には、補強コンクリート芯７０、補強コンクリート芯７２、補強コンクリート芯７４の第二芯部７４Ｄ（図１２（Ｃ）参照）、補強コンクリート芯７６が格納されており、図１０に示される内側面６６Ｉ、６６Ｊは、これらの格納対象の側面７０Ｃ、７２Ｃ、７４Ｆ、７６Ｃ（図１２参照）の一部と当って該格納対象を位置決めしている。
【００４９】
図１０に示されるように、蓋板部４０の上蓋部４０Ａには、格納部６６Ａの対向部分に単一の貫通孔６６Ｃ（補強部材連結用孔開き部）が貫通形成されており（すなわち、格納部６６Ａの上方側の貫通孔６６Ｃは一個となっており）、また、格納部６６Ｂの対向部分に単一の貫通孔６６Ｄ（補強部材連結用孔開き部）が貫通形成されている（すなわち、格納部６６Ｂの上方側の貫通孔６６Ｄは一個となっている）。これによって、図１５に示されるように、補強用充填ブロック６６は、補強コンクリート芯７０を格納部６６Ａに、補強コンクリート芯７２を格納部６６Ｂにそれぞれ格納した場合に、補強コンクリート芯７０、７２上に補強コンクリート芯７４、７６を載置可能な構造となっている。
【００５０】
図１１には、１／８サイズ（１／８パーツ）でかつ内部に補強コンクリート芯７４（図１２（Ｃ）参照）を配置するための補強対象となる補強用充填ブロック６８が示されている。補強用充填ブロック６８は、図１及び図１５に示されるように、充填構造体２０におけるマンホール穴２２の内周側の一部（四隅部付近）に一段置きに配置されるパーツである。また、図１１に示される補強用充填ブロック６８は、後述するような補強可能な構造を備えている点を除いて、図６に示される１／８サイズ（１／８パーツ）の充填ブロック５０と同様の構成であるので、充填ブロック５０と同様の構成部については、同一符号を付して説明を省略する。また、図１１に示される補強用充填ブロック６８は、充填ブロック５０（図６参照）と同様に、充填構造体２０（図２参照）を形成した配置状態では、一端側の開口端５４が上方側へ向けられており、他端側の蓋板部５６が下方側へ向けられている。
【００５１】
図１１に示されるように、補強用充填ブロック６８は、側板部５２の内側に設けられて補強コンクリート芯７４の第一芯部７４Ｃ（図１２（Ｃ）参照）を格納可能な格納部６８Ａを備えている。本実施形態の充填構造体の補強構造では、図１３〜図１５に示されるように、補強用充填ブロック６８内には、補強コンクリート芯７４の第一芯部７４Ｃ（図１３参照）が格納されており、図１１に示される内側面６８Ｉは、第一芯部７４Ｃの側面７４Ｅ（図１２参照）の一部と当って該格納対象を位置決めしている。また、図１１に示されるように、蓋板部５６には、格納部６８Ａの対向部分に単一の貫通孔６８Ｂ（補強部材連結用孔開き部）が貫通形成されている。すなわち、格納部６８Ａの配置状態での下方側（図１１では上方側）の貫通孔６８Ｂは一個となっている。これによって、図１３〜図１５に示されるように、補強用充填ブロック６８の（空隙部を含む）格納部６８Ａに格納される補強コンクリート芯７４の上下に他の補強コンクリート芯７０、７２を面接触状態で配置することができるようになっている。
【００５２】
図１２には、雨水貯留浸透槽用の充填構造体２０（図１及び図２参照）の補強に用いられる規格化された補強コンクリート芯７０、７２、７４、７６が示されている。これらは、広義には、補強用ブロックとして把握される要素であり、充填ブロック３０、５０、６０、６２、６４、６６、６８（図５〜図１１参照）のうち補強対象となる補強用充填ブロック６２、６４、６６、６８（図８〜図１１参照）内に格納可能となっている。補強コンクリート芯７０、７２、７４、７６は、補強用充填ブロック６２、６４、６６、６８（図８〜図１１参照）内に格納されて上下方向（矢印７０Ｘ方向、矢印７２Ｘ方向、矢印７４Ｘ方向、矢印７６Ｘ方向）に積み重ねられることによって、図１に示される充填構造体２０を補強して充填構造体２０の頂部２０Ａ側（天井面側）から底部２０Ｂ側（底面側）への荷重Ｆを支持可能な補強体８０を形成している。
【００５３】
図１２（Ａ）に示される補強コンクリート芯７０は、上下方向（矢印７０Ｘ方向）の一方端側に設けられた平面状の底面７０Ｂと、他方端側に設けられて底面７０Ｂと平行な平面状の台座面７０Ａと、底面７０Ｂと台座面７０Ａとを繋ぐ側面７０Ｃと、を有している。また、補強コンクリート芯７０は、上下方向（矢印７０Ｘ方向）に沿う方向で底面７０Ｂ側から台座面７０Ａ側へ向かって、上下方向（矢印７０Ｘ方向）に垂直な断面積が序々に縮小する形状に形成されている。補強コンクリート芯７０は、図８に示される補強用充填ブロック６２の格納部６２Ａ内の下部（上部を除く部分）、及び図１０に示される補強用充填ブロック６６の格納部６６Ａ内の下部（上部を除く部分）に、図１２（Ａ）に示される底面７０Ｂが下方側に向けられて嵌め込み状態で格納可能な（嵌合可能な）形状に形成されており、側面７０Ｃの一部が図８及び図１０に示される補強用充填ブロック６２、６６の内側面６２Ｉ、６６Ｉの下部位側に当って横方向の位置が位置決めされるようになっている（充填構造体の補強構造において補強コンクリート芯７０が位置決めされている状態を図１５に示す。）。
【００５４】
図１２（Ｂ）に示される補強コンクリート芯７２は、上下方向（矢印７２Ｘ方向）の一方端側に設けられた平面状の底面７２Ｂと、他方端側に設けられて底面７２Ｂと平行な平面状の台座面７２Ａと、底面７２Ｂと台座面７２Ａとを繋ぐ側面７２Ｃと、を有している。また、補強コンクリート芯７２は、上下方向（矢印７２Ｘ方向）に沿う方向で底面７２Ｂ側から台座面７２Ａ側へ向かって、上下方向（矢印７２Ｘ方向）に垂直な断面積が序々に縮小する形状に形成されている。補強コンクリート芯７２は、図９に示される補強用充填ブロック６４の格納部６４Ａ内の下部（上部を除く部分）、及び図１０に示される補強用充填ブロック６６の格納部６６Ｂ内の下部（上部を除く部分）に、図１２（Ｂ）に示される底面７２Ｂが下方側に向けられて嵌め込み状態で格納可能な（嵌合可能な）形状に形成されており、側面７２Ｃの一部が図９及び図１０に示される補強用充填ブロック６４、６６の内側面６４Ｉ、６６Ｊの下部位側に当って横方向の位置が位置決めされるようになっている（図１３及び図１４参照、充填構造体の補強構造において補強コンクリート芯７２が位置決めされている状態を図１５に示す。）。換言すれば、図１２（Ｂ）に示される補強コンクリート芯７２は、図１２（Ａ）に示される補強コンクリート芯７０を平面視で左右反転させた形状に形成されている。
【００５５】
図１２（Ｃ）に示される補強コンクリート芯７４は、柱状に形成され、角錐台状の第一芯部７４Ｃと、第一芯部７４Ｃにおける上下方向（矢印７４Ｘ方向）の一端側である先細り側に連続する略直方体形状の第二芯部７４Ｄと、を備えている。第二芯部７４Ｄは、厳密には第一芯部７４Ｃの反対側へ向かって上下方向（矢印７４Ｘ方向）に垂直な断面積が僅かながら序々に縮小する形状とされ、平面視では第一芯部７４Ｃの内側に配置されており、第一芯部７４Ｃと第二芯部７４Ｄとの間には段差が形成されている。
【００５６】
図１２（Ｃ）に示される補強コンクリート芯７４は、補強体８０（図１参照）の一部とされる際には、図１２（Ｃ）に示される姿勢とは上下が反転した状態で、図１２（Ａ）に示される補強コンクリート芯７０の台座面７０Ａ上又は図１２（Ｂ）に示される補強コンクリート芯７２の台座面７２Ａ上に載置される（図１３参照）。図１２（Ｃ）に示されるように、補強コンクリート芯７４は、上下方向（矢印７４Ｘ方向）の一方端側（図中上方側）、すなわち、第二芯部７４Ｄ側における第一芯部７４Ｃ側の反対側に設けられた平面状の底面７４Ｂと、上下方向（矢印７４Ｘ方向）の他方端側（図中下方側）、すなわち、第一芯部７４Ｃ側における第二芯部７４Ｄ側の反対側に設けられて底面７４Ｂと平行な平面状の台座面７４Ａと、を有している。また、第一芯部７４Ｃは、台座面７４Ａに連続する側面７４Ｅを有し、第二芯部７４Ｄは、底面７４Ｂに連続する側面７４Ｆを有している。
【００５７】
補強コンクリート芯７４における第一芯部７４Ｃは、図１１に示される補強用充填ブロック６８の格納部６８Ａ内に台座面７４Ａを上方側に向けた姿勢にて嵌め込み状態で格納可能な（嵌合可能な）形状に形成されており、側面７４Ｅの一部が図１１に示される補強用充填ブロック６８の内側面６８Ｉに当って横方向の位置が位置決めされるようになっている（図１３及び図１４参照）。また、図１２（Ｃ）に示される補強コンクリート芯７４における第二芯部７４Ｄは、図８に示される補強用充填ブロック６２の格納部６２Ａ内の上部、図９に示される補強用充填ブロック６４の格納部６４Ａ内の上部、及び、図１０に示される補強用充填ブロック６６の格納部６６Ａ、６６Ｂ内の各上部に図１２（Ｃ）に示される底面７４Ｂが下方側に向けられて嵌め込み状態で格納可能な（嵌合可能な）形状に形成されており、側面７４Ｆの一部が図８〜図１０に示される補強用充填ブロック６２、６４、６６の内側面６２Ｉ、６４Ｉ、６６Ｉ、６６Ｊの上部位側に当って横方向の位置が位置決めされるようになっている（図１３及び図１４参照）。なお、充填構造体の補強構造において補強コンクリート芯７４が位置決めされている状態を図１５に示す。
【００５８】
図１２（Ｄ）に示される補強コンクリート芯７６は、図１２（Ｃ）に示される補強コンクリート芯７４の第二芯部７４Ｄとほぼ同様の大きさとされており、上下方向（矢印７６Ｘ方向）の一方端側に設けられた平面状の底面７６Ｂと、他方端側に設けられて底面７６Ｂと平行な平面状の台座面７６Ａと、底面７６Ｂと台座面７６Ａとを繋ぐ側面７６Ｃと、を有している。補強コンクリート芯７６は、図８に示される補強用充填ブロック６２の格納部６２Ａ内の上部、図９に示される補強用充填ブロック６４の格納部６４Ａ内の上部、及び、図１０に示される補強用充填ブロック６６の格納部６６Ａ、６６Ｂ内の各上部に図１２（Ｄ）に示される底面７６Ｂが下方側に向けられて嵌め込み状態で格納可能（嵌合可能、図１５参照）な略直方体形状に形成されており、側面７６Ｃの一部が図８〜図１０に示される補強用充填ブロック６２、６４、６６の内側面６２Ｉ、６４Ｉ、６６Ｉ、６６Ｊの上部位側に当って横方向の位置が位置決めされるようになっている（充填構造体の補強構造において補強コンクリート芯７６が位置決めされている状態を図１５に示す。）。
【００５９】
図１及び図１５に示されるように、充填ブロック（３０等）のうち補強対象となる補強用充填ブロック６２、６４、６６、６８内にそれぞれ格納された補強コンクリート芯７０、７２、７４、７６が積み重ねられることによって、補強体８０が形成されており、該補強体８０が充填構造体２０の内部においてマンホール穴２２の周囲（換言すれば、集中的に荷重を受けると想定される位置の直下）に配置されている。より具体的には、図１５に示されるように、補強体８０は、平面視で略矩形状とされるマンホール穴２２の各内周側コーナ部（四隅部）において、斜向かいに配置される補強用充填ブロック６２、６４、６６、６８の格納部６２Ａ、６４Ａ、６６Ａ、６６Ｂ、６８Ａ内を上下方向に連通する位置に配置されている。
【００６０】
これによって、図１に示されるように、補強体８０は、充填構造体２０におけるマンホール穴２２の周囲を補強して充填構造体２０の頂部２０Ａ側から底部２０Ｂ側への荷重Ｆを支持可能となっている。本実施形態における補強体８０には、補強コンクリート芯７０と補強コンクリート芯７４とが交互に積み重ねられると共にその最上段の補強コンクリート芯７０の上に補強コンクリート芯７６が載せられてなる柱状の構造体（図１では左側の補強体８０）と、補強コンクリート芯７２と補強コンクリート芯７４とが交互に積み重ねられると共にその最上段の補強コンクリート芯７２の上に補強コンクリート芯７６が載せられてなる柱状の構造体（図１では右側の補強体８０）と、があるが、いずれもブロック積上げ構造となっている。
【００６１】
（充填構造体の形成手順）
次に、補強体８０によって補強された充填構造体２０を形成する手順を図１６及び図１７を参照しながら説明する。なお、図１６は、充填構造体２０の最下層（第一段目）を平面視で模式的に示しており、図１７は、充填構造体２０の第二層（第二段目）を平面視で模式的に示している。これらの図では、便宜上、充填ブロック（３０等）の行列数を少なくして図示している。
【００６２】
まず、図１６に示されるように、作業者は、マンホール穴２２の中空部２２Ａとする位置を除いた位置に、フルサイズの充填ブロック３０、６２、６４、６６を同じ向きに向けて（長手方向が同一方向になるように）並設させる。これらの充填ブロック３０、６２、６４、６６は、充填構造体２０の最下層となる。ここで、マンホール穴２２の内壁部分を形成する位置には、補強用充填ブロック６２、６４、６６が配置され、それ以外の位置には、標準の充填ブロック３０が配置される。
【００６３】
マンホール穴２２の内壁部分を形成するに当って作業者は、補強用充填ブロック６２、６６における格納部６２Ａ、６６Ａ内には、補強コンクリート芯７０を予め格納しておき、補強用充填ブロック６４、６６における格納部６４Ａ、６６Ｂ内には、補強コンクリート芯７２を予め格納しておき、そのうえで、補強用充填ブロック６２、６４、６６を、マンホール穴２２の各内周側コーナ部にて斜向かいの位置に格納部６２Ａ、６４Ａ、６６Ａ、６６Ｂを位置させるように配置する。
【００６４】
次に、作業者は、最下層に配置される充填ブロック３０、６２、６４、６６の上に、図１７に示されるように、第二層の充填ブロック３０、５０、６０、６８を配置する。
【００６５】
第二層においては、図１６に示される充填構造体２０の最下層の平面視で、最も外側に配置される上蓋部４０Ａ（図５参照）上を除く位置で、かつ、充填構造体２０の最下層の平面視で、マンホール穴２２の内周側を含んで矩形枠状となる位置に配置される上蓋部４０Ａ（図５及び図８〜図１０参照）上を除く位置には、図１７に示されるように、基本的にフルサイズの充填ブロック３０が配置される。フルサイズの充填ブロック３０は、最下層に配置される充填ブロック３０、６２、６４、６６（図１６参照）に対して長手方向の向きを９０°変えて配置されるが、フルサイズの充填ブロック３０では対応できない半端な空間には、１／２切断パーツの充填ブロック６０が配置される。本実施形態では、１／２切断パーツの充填ブロック６０は、平面視でマンホール穴２２の片側に計三個配置される。
【００６６】
フルサイズの充填ブロック３０は、最下層に配置される３個又は６個の充填ブロック３０、６２、６４、６６（図１６参照）に跨るように積み重ねられて配置され、１／２切断パーツの充填ブロック６０は、本実施形態では、最下層に配置される２個又は４個の充填ブロック３０、６６（図１６参照）に跨るように積み重ねられて配置される。
【００６７】
第二層の積層時に、第二層において互いに隣接する充填ブロック３０、６０の開口端３４（図５及び図７参照）（の二枚分）は、図１６に示される最下層（第一段目）における充填ブロック３０、６２、６４、６６の溝部４４及び切欠部４６（図５及び図８〜図１０参照）に嵌入される。これによって、図１７に示される第二層における充填ブロック３０、６０の開口端３４及び底板部３５（図５及び図７参照）は、図１６に示される最下層（第一段目）における充填ブロック３０、６２、６４、６６の溝部４４及び支持部１４０Ａ（図５及び図８〜図１０参照）に支持される。
【００６８】
また、第二層においては、図１６に示される充填構造体２０の最下層の平面視で、最も外側に配置される上蓋部４０Ａ（図５参照）上には、図１７に示されるように、１／８パーツの充填ブロック５０が配置される。また、第二層においては、図１６に示される充填構造体２０の最下層の平面視で、マンホール穴２２の内周側を含んで矩形枠状となる位置に配置される上蓋部４０Ａ（図５及び図８〜図１０参照）上のうち、最下層で格納部６２Ａ、６４Ａ、６６Ａ、６６Ｂが配置された位置の上方側位置以外の位置には、図１７に示されるように、１／８パーツの充填ブロック５０が配置され、最下層で格納部６２Ａ、６４Ａ、６６Ａ、６６Ｂ（図１６参照）が配置された位置の上方側位置には、１／８パーツの補強用充填ブロック６８が配置される。
【００６９】
第二層の積層時に、図１７に示される第二層の１／８パーツの充填ブロック５０の嵌挿部５７（図６参照）は、図１６に示される最下層の充填ブロック３０、６２、６４、６６における雨水流通孔４２（図５及び図８〜図１０参照）に嵌入される。これによって、図１７に示される第二層の充填ブロック５０の蓋板部５６（図６参照）が、図１６に示される最下層の充填ブロック３０、６２、６４、６６における上蓋部４０Ａ（図５及び図８〜図１０参照）に支持される。
【００７０】
また、作業者は、図１７に示される１／８パーツの補強用充填ブロック６８における格納部６８Ａ内に補強コンクリート芯７４を予め格納したうえで、補強用充填ブロック６８を積み上げることによって、補強コンクリート芯７４を、図１６に示される補強コンクリート芯７０、７２上に載置させる。
【００７１】
次に、作業者は、図１７に示される充填ブロック３０、５０、６０、６８上に、図１６に示される平面視位置と同様の平面視位置に、第三層の充填ブロック３０、６２、６４、６６を配置する。以下同様の要領で、作業者は、充填ブロック３０、５０、６０、６２、６４、６６、６８（図５〜図１１参照）を積層化していき、最上層（本実施形態では奇数層）の充填ブロック３０、６２、６４、６６を積層した後、最上層の格納部６２Ａ、６４Ａ、６６Ａ、６６Ｂ内の上部に、図１５に示されるように、補強コンクリート芯７６を格納する。これによって、図１に示されるように、補強体８０によって補強された充填構造体２０が形成される。
【００７２】
（実施形態の作用・効果）
次に、上記実施形態の作用及び効果について説明する。
【００７３】
図１に示されるように、本実施形態に係る充填構造体２０の補強構造では、充填構造体２０の内部においてマンホール穴２２の周囲に配置された補強体８０が、充填構造体２０を補強して充填構造体２０の頂部２０Ａ側から底部２０Ｂ側への荷重Ｆを支持可能となっている。このため、例えば、覆土時の転圧、路盤舗装時に大型ローラ等によって振動衝撃を伴う荷重が充填構造体２０に掛けられたとき等のように、コンクリート壁２６の直下となるマンホール穴２２の周囲において荷重Ｆが鉛直方向に集中して作用した場合（鉛直荷重Ｆの作用時）、荷重Ｆの一部は、補強体８０によって支持される。これにより、充填構造体２０における鉛直荷重強度が向上する。
【００７４】
また、補強体８０は、補強コンクリート芯７０、７２、７４、７６が積み重ねられて形成されているので（分割積上げ構造）、マンホール穴２２の周囲において荷重Ｆが鉛直方向に集中して作用しても、各補強コンクリート芯７０、７２、７４、７６に作用する曲げモーメントのモーメントアーム長が短く、座屈が生じにくい。また、補強コンクリート芯７０、７２、７４、７６が充填ブロック３０、５０、６０、６２、６４、６６、６８（図５〜図１１参照）のうち補強対象となる補強用充填ブロック６２、６４、６６、６８（図１５参照）内にそれぞれ格納されているので、前記荷重Ｆが作用しても、補強コンクリート芯７０、７２、７４、７６の左右のずれは、防止又は抑制される。よって、補強コンクリート芯７０、７２、７４、７６の固定作業を別途行う必要がない。また、充填構造体２０（雨水貯留浸透槽１０）の高さ方向の設定に応じて補強体８０の高さを容易に設定することができ、施工時の柔軟性が高い。
【００７５】
また、図８〜図１１に示される補強用充填ブロック６２、６４、６６、６８は、蓋板部４０、５６において格納部６２Ａ、６４Ａ、６６Ａ、６６Ｂ、６８Ａの対向部分に貫通形成された貫通孔６２Ｂ、６４Ｂ、６６Ｃ、６６Ｄ、６８Ｂが単一となっているので、該貫通孔６２Ｂ、６４Ｂ、６６Ｃ、６６Ｄ、６８Ｂの径を大きくすることで、貫通孔６２Ｂ、６４Ｂ、６６Ｃ、６６Ｄ、６８Ｂの内側に配置される補強コンクリート芯７０、７２、７４、７６（図１２参照）の太さを太くすること及び上下に積み重ねられた補強コンクリート芯７０、７２、７４、７６（図１２参照）同士の接触面積を大きくすることができ、マンホール穴２２（図１参照）の周囲は、効果的に補強される。
【００７６】
また、図１２に示される補強コンクリート芯７０、７２、７４、７６は、一方端側に設けられた平面状の底面７０Ｂ、７２Ｂ、７４Ｂ、７６Ｂと、他方端側に設けられて底面７０Ｂ、７２Ｂ、７４Ｂ、７６Ｂと平行な平面状の台座面７０Ａ、７２Ａ、７４Ａ、７６Ａと、を有しており、側面７０Ｃ、７２Ｃ、７４Ｅ、７４Ｆ、７６Ｃの一部が図８〜図１１に示される補強用充填ブロック６２、６４、６６、６８の内側面６２Ｉ、６４Ｉ、６６Ｉ、６６Ｊ、６８Ｉに当って位置決めされているので、積み重ねられることによって上下に配置された図１２に示される補強コンクリート芯７０、７２、７４、７６同士の相対位置が安定し、図１に示されるマンホール穴２２の周囲において荷重Ｆが鉛直方向に集中して作用した場合には、荷重Ｆの一部は、補強体８０によって安定的に支持される。
【００７７】
以上説明したように、本実施形態に係る充填構造体２０の補強構造によれば、マンホール穴２２の周囲にて鉛直方向に集中した荷重Ｆに対して強度を大きくすることができる。また、本実施形態に係る補強用充填ブロック６２、６４、６６、６８（図８〜図１０参照）及び補強コンクリート芯７０、７２、７４、７６（図１２参照）によれば、マンホール穴２２の周囲にて鉛直方向に集中した荷重Ｆに対して強度を大きくすることが可能な充填構造体２０の補強構造に適用することができる。
【００７８】
（実施形態の補足説明）
なお、上記実施形態では、充填構造体２０に形成された縦穴部がマンホール穴２２である場合を説明したが、充填構造体に形成された縦穴部は、雨水貯留浸透槽の底面部に堆積した土砂を除去するためのバキュームホース挿入用のメンテナンス穴等のような他の縦穴部としてもよい。
【００７９】
また、上記実施形態では、補強体８０は、補強コンクリート芯７０、７２、７４、７６が積み重ねられて形成されており、このような構成が好ましいが、補強体は、例えば、充填構造体を補強して充填構造体の頂部側から底部側への荷重を支持可能な単体の補強体としてもよい。
【００８０】
さらに、上記実施形態では、補強部材が補強コンクリート芯７０、７２、７４、７６とされているが、補強部材は、例えば、樹脂で成形されて鉛直荷重に対する剛性が高い樹脂製ブロック芯等のような他の補強部材としてもよい。
【００８１】
さらにまた、上記実施形態における充填構造体の補強構造では、蓋板部４０、５６には、格納部６２Ａ、６４Ａ、６６Ａ、６６Ｂ、６８Ａの対向部分に単一の貫通孔６２Ｂ、６４Ｂ、６６Ｃ、６６Ｄ、６８Ｂが貫通形成されており、このような構成が好ましいが、充填構造体の補強構造においては、例えば、蓋板部における格納部の対向部分に複数の貫通孔が貫通形成されており、これらの貫通孔が補強部材の貫通用とされるような構成であってもよい。
【００８２】
なお、上記実施形態における充填構造体の補強構造では、補強コンクリート芯７０、７２、７４、７６における側面７０Ｃ、７２Ｃ、７４Ｅ、７４Ｆ、７６Ｃの一部が補強用充填ブロック６２、６４、６６、６８の内側面６２Ｉ、６４Ｉ、６６Ｉ、６６Ｊ、６８Ｉに当って位置決めされているが、例えば、充填構造体の補強構造においては、補強部材における側面の全部が補強用充填ブロックの内側面に当って位置決めされてもよい。また、充填構造体の補強構造においては、補強部材における側面の少なくとも一部が補強用充填ブロックの内側面に当って位置決めされる構成が好ましいが、例えば、補強部材が補強用充填ブロックの内側面によって完全には位置決めされず、補強部材が補強用充填ブロックの内側で多少横方向に移動可能な構成であってもよい。
【図面の簡単な説明】
【００８３】
【図１】本発明の一実施形態に係る充填構造体の補強構造が適用された雨水貯留浸透槽の一部を模式的に示す概略断面図である。
【図２】本発明の一実施形態に係る充填構造体の補強構造を示す斜視図である。
【図３】本発明の一実施形態に係る充填構造体の補強構造をマンホール穴上方から見た状態で示す斜視図である。
【図４】図３に示されるマンホール穴に対応させてマンホール用のコンクリート壁を設置した状態を示す斜視図である。
【図５】本発明の一実施形態における標準フルサイズの充填ブロックを示す斜視図である。
【図６】本発明の一実施形態における１／８サイズの充填ブロックを示す斜視図である。
【図７】本発明の一実施形態における１／２サイズの充填ブロックを示す斜視図である。
【図８】本発明の一実施形態に係るフルサイズの補強用充填ブロックを示す斜視図である。
【図９】本発明の一実施形態に係るフルサイズの補強用充填ブロックを示す斜視図である。
【図１０】本発明の一実施形態に係るフルサイズの補強用充填ブロックを示す斜視図である。
【図１１】本発明の一実施形態に係る１／８サイズの補強用充填ブロックを示す斜視図である。
【図１２】本発明の一実施形態に係る補強コンクリート芯を示す斜視図である。図１２（Ａ）〜図１２（Ｄ）に四種類の補強コンクリート芯を示す。
【図１３】本発明の一実施形態に係る充填構造体の補強構造の一部を分解して示す（組立途中の状態に相当する）分解斜視図である。
【図１４】本発明の一実施形態に係る充填構造体の補強構造の一部を示す斜視図である。
【図１５】本発明の一実施形態に係る充填構造体の補強構造の要部を示す斜視図である。
【図１６】本発明の一実施形態に係る充填構造体の補強構造の最下層を平面視で模式的に示す模式的平面図である。
【図１７】本発明の一実施形態に係る充填構造体の補強構造の第二層を平面視で模式的に示す模式的平面図である。
【符号の説明】
【００８４】
１０    雨水貯留浸透槽
２０    充填構造体
２０Ａ  頂部
２０Ｂ  底部
２２    マンホール穴（縦穴部）
２２Ａ  中空部
３０、５０、６０  充填ブロック
４０、５６  蓋板部
６２、６４、６６、６８  補強用充填ブロック
６２Ａ、６４Ａ、６６Ａ、６６Ｂ、６８Ａ  格納部
６２Ｂ、６４Ｂ、６６Ｃ、６６Ｄ、６８Ｂ  貫通孔
６２Ｉ、６４Ｉ、６６Ｉ、６６Ｊ、６８Ｉ  内側面
７０、７２、７４、７６  補強コンクリート芯（補強部材）
７０Ａ、７２Ａ、７４Ａ、７６Ａ  台座面
７０Ｂ、７２Ｂ、７４Ｂ、７６Ｂ  底面
７０Ｃ、７２Ｃ、７４Ｅ、７４Ｆ、７６Ｃ  側面
８０    補強体
ａ      行方向
ｂ      列方向
ｈ      高さ方向
Ｇ      地中
Ｆ      荷重
【図１】
2009062797.tif 000003
【図２】
2009062797.tif 000004
【図３】
2009062797.tif 000005
【図４】
2009062797.tif 000006
【図５】
2009062797.tif 000007
【図６】
2009062797.tif 000008
【図７】
2009062797.tif 000009
【図８】
2009062797.tif 000010
【図９】
2009062797.tif 000011
【図１０】
2009062797.tif 000012
【図１１】
2009062797.tif 000013
【図１２】
2009062797.tif 000014
【図１３】
2009062797.tif 000015
【図１４】
2009062797.tif 000016
【図１５】
2009062797.tif 000017
【図１６】
2009062797.tif 000018
【図１７】
2009062797.tif 000019